(57)【要約】【課題】撮影状況の多様性の面で有利なレンズ装置を提供する。【解決手段】ディスプレイを有する表示装置と通信可能なレンズ装置であって、レンズ鏡筒部と、レンズ鏡筒の前端部に配置された照明部と、照明部を制御する第１の制御部と、表示装置と通信可能であって、表示装置から照明部を制御する制御情報を受信し、制御部に表示装置からの前記制御情報を出力する通信部と、を備える。【選択図】図１
2019144513.tif 000002
【特許請求の範囲】
【請求項１】
ディスプレイを有する表示装置と通信可能なレンズ装置であって、
レンズ鏡筒部と、
前記レンズ鏡筒の前端部に配置された照明部と、
前記照明部を制御する第１の制御部と、
前記表示装置と通信可能であって、前記表示装置から前記照明部を制御する制御情報を受信し、前記第１の制御部に前記表示装置からの前記制御情報を出力する通信部と、を備える
ことを特徴とするレンズ装置。
【請求項２】
前記照明部は、白色光または白色光以外の色度で発光する、ことを特徴とする、請求項１に記載のレンズ装置。
【請求項３】
前記制御情報は、前記照明部の輝度情報、色度情報、オン／オフ情報を含む、ことを特徴とする請求項１または２に記載のレンズ装置。
【請求項４】
前記第１の制御部は、前記制御情報に基づき、前記照明部の輝度を無段階調節する、ことを特徴とする請求項１乃至３のいずれか１項に記載のレンズ装置。
【請求項５】
前記第１の制御部は、前記通信部が第１の表示装置との通信を開始すると、前記第１の表示装置とは異なる第２の表示装置に前記通信を開始した信号を送信する、ことを特徴とする請求項１乃至４のいずれか１項に記載のレンズ装置。
【請求項６】
前記照明部の照明状態を変更する操作部を備える、ことを特徴とする請求項１乃至５のいずれか１項に記載のレンズ装置。
【請求項７】
前記操作部は、前記照明部の輝度、色度またはオン／オフを変更する、ことを特徴とする請求項６に記載のレンズ装置。
【請求項８】
前記通信部は、前記操作部の操作に基づく前記照明部の制御に関する情報を前記表示装置から受信し、前記第１の制御部に出力し、
前記第１の制御部は、前記情報に応じて、前記操作部の操作に基づく前記照明部の制御を変更する、ことを特徴とする請求項６または７に記載のレンズ装置。
【請求項９】
前記通信部は、前記表示装置と無線通信を行う、ことを特徴とする請求項１乃至８のいずれか１項に記載のレンズ装置。
【請求項１０】
前記表示装置は、前記制御情報を前記通信部に出力する第２の制御部を備えるカメラ本体または電子機器である、ことを特徴とする請求項１乃至９のいずれか１項に記載のレンズ装置。
【請求項１１】
前記表示装置は、前記制御情報を入力するための入力部を備え、
前記第２の制御部は、前記入力部に入力された制御情報を前記通信部に出力する、ことを特徴とする請求項１０に記載のレンズ装置。
【請求項１２】
ディスプレイを有する表示装置と通信可能な撮像装置であって、
レンズ装置が備えるレンズ鏡筒部の前端部に配置された照明部を制御する第１の制御部と、
前記表示装置と通信可能であって、前記表示装置から前記照明部を制御する制御情報を受信し、前記第１の制御部に前記表示装置からの制御情報を出力する通信部と、を備える
ことを特徴とする撮像装置。
【請求項１３】
前記照明部は、白色光または白色光以外の色度で発光する、ことを特徴とする、請求項１２に記載の撮像装置。
【請求項１４】
前記第１の制御部は、前記制御情報に基づき、前記照明部の輝度を無段階調節する、ことを特徴とする請求項１２または１３に記載の撮像装置。
【請求項１５】
前記制御情報を入力するための入力部を備え、
前記第１の制御部は、前記通信部が前記表示装置との通信を開始すると、前記入力部による前記制御情報の入力を抑制する、ことを特徴とする請求項１２乃至１４のいずれか１項に記載の撮像装置
【請求項１６】
前記制御情報は、前記照明部の輝度情報、色度情報、オン／オフ情報を含む、ことを特徴とする１２乃至１５のいずれか１項に記載の撮像装置。
【請求項１７】
前記通信部は、前記表示装置と無線通信を行う、ことを特徴とする請求項１２乃至１６のいずれか１項に記載の撮像装置。
【請求項１８】
前記表示装置は、前記制御情報を前記通信部に出力する第２の制御部を備える電子機器である、ことを特徴とする請求項１２乃至１７のいずれか１項に記載の撮像装置。
【請求項１９】
レンズ鏡筒部と、前記レンズ鏡筒部の前端部に配置される照明部と、ディスプレイを有する表示装置と通信可能であって、前記表示装置から前記照明部を制御する制御情報を受信する通信部と、を備えるレンズ装置の制御方法であって、
前記制御情報に基づき、前記照明部を制御するステップを有する、ことを特徴とする制御方法。
【請求項２０】
ディスプレイを有する表示装置と通信可能であり、前記表示装置からレンズ装置が備えるレンズ鏡筒部の前端部に設けられた照明部を制御する制御情報を受信する通信部を備える撮像装置の制御方法であって、
前記制御情報に基づき、前記照明部を制御するステップを有する、ことを特徴とする制御方法。
【発明の詳細な説明】
【技術分野】
【０００１】
レンズ装置、撮像装置、制御方法およびプログラムに関する。
【背景技術】
【０００２】
近年、撮影手法の一つとして被写体に近接しての撮影であるマクロ撮影が知られている。このようなマクロ撮影において、レンズ先端位置に白色発光ダイオードを設けたレンズ装置がある。特許文献１の照明装置は、撮影レンズに設けられたスイッチにより、レンズ先端に設けられた白色発光ダイオードのオン、オフが可能となっている。特許文献２の自動照明装置は、撮影レンズを装着する一眼レフカメラが測光する被写体光量に応じて自動的に白色発光ダイオードを制御している。
【先行技術文献】
【特許文献】
【０００３】
【特許文献１】特開２００６−３３７４２２号公報
【特許文献２】特開２００７−４７１９２号公報
【発明の概要】
【発明が解決しようとする課題】
【０００４】
しかしながら、特許文献１の照明装置では、白色発光ダイオードの光量を変更することはできない。また、特許文献２の自動照明装置では、白色発光ダイオードの点灯個数を自動で制御しているが、撮影者の意図に応じて照明を変更することはできない。
【０００５】
本発明は、撮影状況の多様性の面で有利なレンズ装置を提供することを目的とする。
【課題を解決するための手段】
【０００６】
上記課題を解決するために、本発明は、ディスプレイを有する表示装置と通信可能なレンズ装置であって、レンズ鏡筒部と、レンズ鏡筒の前端部に配置された照明部と、照明部を制御する第１の制御部と、表示装置と通信可能であって、表示装置から照明部を制御する制御情報を受信し、制御部に表示装置からの前記制御情報を出力する通信部と、を備えることを特徴とする。
【発明の効果】
【０００７】
本発明によれば、撮影状況の多様性の面で有利なレンズ装置を提供することができる。
【図面の簡単な説明】
【０００８】
【図１】第１実施形態に係るレンズ装置を含むカメラシステムの構成を示すブロック図である。
【図２】第１実施形態に係るレンズ装置の外観図である。
【図３】操作スイッチの操作による照明部の制御の一例を示すフロー図である。
【図４】第１の操作モードの操作画面の一例を示す図である。
【図５】第２の操作モードの操作画面の一例を示す図である。
【図６】カメラ本体による照明部の制御方法を示すフロー図である。
【図７】第２実施形態に係る操作画面の一例を示す図である。
【図８】第１のスイッチモードにおける操作スイッチによる照明部の制御の一例を示すフロー図である。
【図９】第２のスイッチモードにおける操作スイッチによる照明部の制御の一例を示すフロー図である。
【図１０】第３実施形態に係るレンズ装置を含むカメラシステムの構成を示すブロック図である。
【図１１】携帯端末のディスプレイに表示される操作画面の一例を示す図である。
【図１２】排他処理を説明するフロー図である。
【図１３】携帯端末による照明部の制御方法を示すフロー図である。
【図１４】第４実施形態に係る携帯端末のディスプレイに表示される操作画面の一例を示す図である。
【図１５】第５実施形態に係る携帯端末のディスプレイに表示される操作画面の一例を示す図である。
【図１６】第５実施形態に係る第２のスイッチモードにおける操作スイッチによる照明部の制御の一例を示すフロー図である。
【発明を実施するための形態】
【０００９】
以下、本発明を実施するための形態について図面などを参照して説明する。
（第１実施形態）
【００１０】
図１は、第１実施形態に係るレンズ装置を含むカメラシステムの構成を示すブロック図である。本実施形態では、レンズ装置を含むカメラシステムを一例として用いるが、デジタルスチルカメラなどのレンズ装置とカメラ本体が一体となった撮像装置であってもよい。カメラシステム１００は、デジタルカメラやビデオカメラ等のカメラ本体１と、カメラ本体１に取り外し可能に装着されるレンズ装置２とにより構成されている。図２は、第１実施形態に係るレンズ装置の外観図である。図２には、レンズ装置２を前側（被写体側）の斜めから見たときの外観を示している。
【００１１】
カメラ本体１とレンズ装置２は、それぞれに設けられたカメラマウント１ａとレンズマウント２ａが結合することにより機械的に接続され、さらにカメラマウント１ａとレンズマウント２ａにそれぞれ設けられた通信部としての通信端子１ｌ、２ｌを介して相互に通信可能に接続される。通信端子１ｌ、２ｌはカメラの情報、レンズの情報、カメラからの指令（例えば、制御情報）などの通信を行う。
【００１２】
カメラ本体１は、撮像素子１ｂ、画像処理部１ｆおよびカメラＣＰＵ１ｃを備える。撮像素子１ｂは、レンズ装置２内の撮影光学系により形成された被写体像を撮像（光電変換）するＣＭＯＳセンサまたはＣＣＤセンサ等により構成される。画像処理部１ｆは、撮像素子１ｂからの出力を用いて撮影画像を生成する。また、カメラ本体１は、ディスプレイ１ｄを備える表示装置である。
【００１３】
レンズ装置２内の撮影光学系は、光軸Ｏ方向に移動して焦点調節を行うフォーカスレンズおよび光量を調節する絞り等を有する。なお、本実施形態におけるレンズ装置２は、近接撮影に適した撮影光学系を有するマクロ撮影用交換レンズである。このレンズ装置２は、例えば、３０ｍｍ〜７０ｍｍ程度の焦点距離を有し、発光部から１０ｍｍ〜５０ｍｍ程度の撮影距離で使用される。
【００１４】
カメラＣＰＵ１ｃは、カメラ本体１内の動作を制御する。カメラＣＰＵ１ｃは、カメラ本体１に設けられた操作ボタン１ｈがユーザにより操作されることに応じ、通信端子１ｌ、２ｌを介して、該操作に応じた指令をレンズ装置２に送信したり、ＡＦ（オートフォーカス）およびＡＦ等の撮影準備動作や記録用画像を取得するための撮影動作を制御したりするカメラ本体１側の制御部である。ＡＦにおいて、カメラＣＰＵ１ｃは、撮像素子１ｂからの出力を用いてデフォーカス量を演算し、該デフォーカス量に応じたフォーカスレンズの駆動量の情報をフォーカス駆動情報としてレンズ装置２に設けられたレンズＣＰＵ２ｂに送信する。
【００１５】
また、ＡＥ（自動露出）において、カメラＣＰＵ１ｃは、撮像素子１ｂからの出力を用いて被写体輝度を計測し、該被写体輝度に応じた絞りの駆動量の情報を絞り駆動情報としてレンズＣＰＵ２ｂに送信する。カメラＣＰＵ１ｃは、撮像素子１ｂが受光した情報を演算し、撮影情報をディスプレイ１ｄに表示させる。
【００１６】
一方、レンズＣＰＵ２ｂは、レンズ装置２がカメラ本体１に装着されることに応じて、レンズ装置２に設けられたレンズ記憶部２ｅに記憶されているレンズ情報をカメラＣＰＵ１ｃに送信する。レンズ情報は、撮影光学系の焦点距離、開放／最小絞り値、周辺光量に関する情報およびフォーカス敏感度に関する情報等を含む。レンズ情報を受け取ったカメラＣＰＵ１ｃは、該レンズ情報をカメラ本体１内に設けられたカメラ記憶部１ｅに記憶させる。
【００１７】
また、レンズ装置２には、フォーカス駆動回路および絞り駆動回路等が実装された基板２ｆと、フォーカスレンズを駆動するステッピングモータや振動型モータ等のフォーカスアクチュエータ２ｋとが設けられている。フォーカス駆動回路は、カメラＣＰＵ１ｃから受信したフォーカス駆動情報に応じてフォーカスアクチュエータ２ｋを駆動することで、フォーカスレンズを移動させる。これにより、ＡＦが行われる。絞り駆動回路は、カメラＣＰＵ１ｃから受信した絞り駆動情報に応じてステッピングモータ等の絞りアクチュエータを駆動することで、絞りを動作させる。これにより、適切な絞り値が設定される。
【００１８】
さらに、レンズ装置２のレンズ鏡筒部の前端部（被写体側の端部）のうち撮影光学系を囲む周囲部分には、その周方向に離間した位置に発光部としての発光部２ｉが複数（例えば２つ）設けられている。発光部２ｉは、発光ダイオード（ＬＥＤ）で形成され、発光ダイオード内部に３原色の発光部を有したタイプもしくは、Ｒ（赤）Ｇ（緑）Ｂ（青）各色のＬＥＤを配置された形態であっても良い。発光部２ｉは、白色単色光だけでなく、白色光以外のＲＧＢ各色を発光することができ、色度の変更を行うことも可能である。発光部２ｉは、レンズＣＰＵ２ｂに接続されている。前述のレンズ鏡筒部とは、図２に符号ＬＢＰで示す部分である。
【００１９】
発光部２ｉの前側（被写体側）には、図２にも示すように撮影光学系の前面の周囲を囲むように周方向に環状に延びる拡散板２ｊが設けられている。拡散板２ｊの裏側には、各発光部２ｉから発せられた照明光を拡散板２ｊの裏面における広い範囲に入射させるように周方向に導く光ガイド部材２ｈが設けられている。複数の発光部２ｉから発せられた照明光は、これら発光部２ｉのそれぞれに設けられた光ガイド部材２ｈを介して拡散板２ｊのほぼ全周の裏面に入射し、拡散板２ｊより拡散されて被写体に向けて照射される。複数の発光部２ｉ、光ガイド部材２ｈおよび拡散板２ｊにより照明部ＩＡが構成される。
【００２０】
レンズ装置２の外周面には、照明部ＩＡを制御するためにユーザにより操作される操作スイッチ２ｇ（操作部）が設けられている。操作スイッチ２ｇは、プッシュスイッチであっても良いし、スライドスイッチであってもよい。また、保護膜と無数の電極からなるセンサなどであってもよい。操作スイッチ２ｇは、レンズＣＰＵ２ｂに接続されており、照明部の輝度、色度またはオン／オフを変更することが可能である。
【００２１】
レンズＣＰＵ２ｂは、操作スイッチ２ｇの操作に応じて、照明部ＩＡを制御するレンズ装置２側の制御部である。レンズＣＰＵ２ｂは、例えば、操作スイッチ２ｇのオン操作およびオフ操作に応じて複数の照明部ＩＡの点灯と消灯を制御する。また、レンズＣＰＵ２ｂは、操作スイッチ２ｇの操作に応じて、複数の照明部ＩＡを輝度の変更や色度の変更を行う。さらに、レンズＣＰＵ２ｂは、カメラ本体１からの指令に応じて操作スイッチ２ｇによる照明部ＩＡの制御方法を変更する。
【００２２】
なお、例えば、操作スイッチ２ｇが、プッシュスイッチで構成されている場合には、操作スイッチ２ｇの押した回数で照明部ＩＡの状態を制御することが可能なように、レンズＣＰＵ２ｂにプログラミングしてもよい。また、操作スイッチ２ｇがスライドスイッチで構成されている場合には、操作スイッチ２ｇのスライド位置を検出し、検出位置によって照明部ＩＡの状態をコントロールするようにプログラミングされていてもよい。
【００２３】
図３は、操作スイッチ２ｇの操作による照明部ＩＡの制御の一例を示すフロー図である。例えば、操作スイッチ２ｇの操作により、照明部ＩＡを以下のように制御することも可能である。まず、照明部ＩＡのオフ状態（Ｓ０）から、操作スイッチ２ｇを所定時間より短く押すと（Ｓ１，Ｎｏ）両側の照明部ＩＡが光量の多い強モード（Ｈｉ）の状態で点灯する（Ｓ２１）。照明部ＩＡのオフ状態（Ｓ０）から、操作スイッチ２ｇを所定時間より長く押すと（Ｓ１，Ｙｅｓ）右側の照明部ＩＡのみが強モードで点灯する（Ｓ２３）。
【００２４】
Ｓ２１の状態（両側の照明部ＩＡが強モードで点灯している状態）から操作スイッチ２ｇを所定時間より短く押す（Ｓ３，Ｎｏ）と、両側の照明部ＩＡが光量の少ない弱モード（Ｌｏ）の状態で点灯する（Ｓ２２）。Ｓ２１の状態から操作スイッチ２ｇを所定時間より長く押す（Ｓ３，Ｙｅｓ）と、右側の照明部ＩＡが強モードで点灯する（Ｓ２３）。Ｓ２２の状態（両側の照明部ＩＡが弱モードで点灯している状態）から操作スイッチ２ｇを所定時間より短く押す（Ｓ６，Ｎｏ）と、照明部ＩＡはオフ状態となる（Ｓ０）。
【００２５】
Ｓ２２の状態から操作スイッチ２ｇを所定時間より長く押す（Ｓ６，Ｙｅｓ）と、右側の照明部ＩＡが強モードで点灯する（Ｓ２３）。Ｓ２３の状態（右側の照明部ＩＡが強モードで点灯している状態）から操作スイッチ２ｇを所定時間より短く押す（Ｓ５，Ｎｏ）と、右側の照明部ＩＡが弱モードで点灯する（Ｓ２４）。Ｓ２３の状態から操作スイッチ２ｇを所定時間より長く押す（Ｓ５，Ｙｅｓ）と、両側の照明部ＩＡが強モードで点灯する（Ｓ２１）。
【００２６】
Ｓ２４の状態（右側の照明部ＩＡが弱モードで点灯している状態）から操作スイッチ２ｇを所定時間より短く押す（Ｓ７，Ｎｏ）と、左側の照明部ＩＡが強モードで点灯する（Ｓ２５）。Ｓ２４の状態から操作スイッチ２ｇを所定時間より長く押す（Ｓ７，Ｙｅｓ）と、両側の照明部ＩＡが弱モードで点灯する（Ｓ２２）。Ｓ２５の状態（左側の照明部ＩＡが強モードで点灯している状態）から操作スイッチ２ｇを所定時間より短く押す（Ｓ８，Ｎｏ）と、左側の照明部ＩＡが弱モードで点灯する（Ｓ２６）。Ｓ２５の状態から操作スイッチ２ｇを所定時間より長く押す（Ｓ８，Ｙｅｓ）と、両側の照明部ＩＡが強モードで点灯する（Ｓ２１）。
【００２７】
Ｓ２６の状態（左側の照明部ＩＡが弱モードで点灯している状態）から操作スイッチ２ｇを所定時間より短く押す（Ｓ９，Ｎｏ）と、右側の照明部ＩＡが強モードで点灯する（Ｓ２３）。Ｓ２６の状態から操作スイッチ２ｇを所定時間より長く押す（Ｓ９，Ｙｅｓ）と、両側の照明部ＩＡが弱モードで点灯する（Ｓ２２）。
【００２８】
このように、レンズ装置２に設けられた操作スイッチ２ｇにより、照明部ＩＡの左右の点灯状態と強度を変更することができる。しかしながら、操作スイッチ２ｇのみによる操作では、所望の照明状態とするまでの操作が煩雑となる場合がある。また、１つの操作スイッチ２ｇの操作だけでは、バリエーションに制限がある。そこで、レンズＣＰＵ２ｂは、通信端子１ｌ、２ｌを介し、カメラ本体１から照明部ＩＡの制御情報を受信し、制御情報に基づき、照明部ＩＡの制御を行う。ここで、制御情報には、照明部ＩＡの輝度情報、色度情報、オン／オフ情報などが含まれる。
【００２９】
図４は、第１の操作モードの操作画面の一例を示す図である。カメラ本体１には、例えば、操作ボタン１ｈが設けられている。例えば、ユーザが、操作ボタン１ｈを押下することで、ディスプレイ１ｄに照明部ＩＡの操作画面が表示される。
【００３０】
ディスプレイ１ｄは、例えば、タッチパネルで構成され、ユーザが画面の所定位置をタッチすることで、制御情報を入力できる構造となっている。即ち、ディスプレイ１ｄは、制御情報を入力する入力部でもある。タッチパネルは、静電容量式や感圧式のセンサが、液晶パネル全面に構成され、指やペンなどの接触により、接触位置を検出する。
【００３１】
本図は、照明部ＩＡの左右の点灯状態と強度を変更する操作モード（第１の操作モード）の操作画面の一例を示している。ユーザは、ディスプレイ１ｄに表示されている操作表示１ｄ１を指やペンでタッチし、照明部ＩＡの左右の点灯状態と強度を変更する。ディスプレイ１ｄに入力された制御情報は、カメラ本体１側の通信端子１ｌからレンズ装置２側の通信端子２ｌに送信され、通信端子２ｌは、受信した制御情報をレンズＣＰＵ２ｂへと出力する。レンズＣＰＵ２ｂは、受信した制御情報に応じて、照明部ＩＡを制御する。例えば、ディスプレイ１ｄに表示された操作表示１ｄ１「左強」が選択された場合、レンズＣＰＵ２ｂは、左側の照明部ＩＡを強モードの状態で点灯させる。このような構成にすることにより、ユーザの所望の照明状態を簡単な操作で実現することが可能となる。
【００３２】
図５は、第２の操作モードの操作画面の一例を示す図である。ユーザは、例えば、操作ボタン１ｈを操作することで照明部ＩＡの操作モードを変更することができる。第２の操作モードでは、操作画面に、２つのスライダー１ｄ２が表示されている。第２の操作モードでは、左右の照明部ＩＡの点灯強度を、スライダー１ｄ２を動かすことによりそれぞれ変更することができる。スライダー１ｄ２により、操作することで、照明部ＩＡの点灯強度をほぼ無段階に調節することが可能となる。
【００３３】
ディスプレイ１ｄに入力された照明部ＩＡの点灯強度の情報（制御情報）は、通信端子１ｌから通信端子２ｌに送信され、通信端子２ｌは、受信した制御情報をレンズＣＰＵ２ｂへと出力する。レンズＣＰＵ２ｂは、受信した制御情報に応じた発光量を演算し、照明部ＩＡを点灯させる。
【００３４】
ここで、カメラ本体１とレンズ装置２の通信状態について説明する。図６は、カメラ本体１による照明部ＩＡの制御方法を示すフロー図である。まず、カメラ本体１にて、ユーザにより操作モードが設定される（Ｓ０１）。次に、ユーザにより設定された操作モードに応じた制御情報が入力される。（Ｓ０２）。次に、カメラ本体１側の通信端子１ｌからレンズ側の通信端子２ｌに制御情報が通信される（Ｓ０３）。レンズ装置２側に通信された制御情報は、レンズ装置２内のレンズ記憶部２ｅに記憶される（Ｓ０４）。通信された制御情報に基づきレンズＣＰＵ２ｂにて光量などが演算され（Ｓ０５）、照明部ＩＡの輝度が制御される（Ｓ０６）。
【００３５】
このように、カメラ本体１を用いて照明部ＩＡの制御を行うことにより、豊富な撮影状況を作り出すことが可能となる。
（第２実施形態）
【００３６】
図７は、第２実施形態に係る操作画面の一例を示す図である。なお、第１実施形態と同様の構成は同符号で示し、説明は省略する。本実施形態に係るレンズ装置は、照明部ＩＡの色度を変更することが可能である。図７は、照明部ＩＡの色度を変更する操作モードの操作画面の一例である。
【００３７】
ディスプレイ１ｄには、色度調整エリア１ｄ３と輝度調整エリア１ｄ４とスイッチモード変更表示１ｄ５が表示される。色度調整エリア１ｄ３と輝度調整エリア１ｄ４とスイッチモード変更表示１ｄ５は、例えば、実写している画像にオーバーラップして表示される。
【００３８】
色度調整エリア１ｄ３は、ＲＧＢの三原色の割合で生成された色が表示され、ユーザが任意の点を選択することでレンズ装置２に設けられた照明部ＩＡの光色を変更させることができる。輝度調整エリア１ｄ４は、たとえば、スライダーが表示されており、色度調整エリア１ｄ３で選択された色の輝度を任意に変更させることができる。
【００３９】
これらの操作によってカメラ側に入力された照明部ＩＡの制御情報は、通信端子１ｌおよび通信端子２ｌを通じレンズＣＰＵ２ｂへと送信される。カメラ本体１とレンズ装置２の通信状態については、第１実施形態の図６に示すフローと同様であるが、Ｓ０６において、レンズＣＰＵ１ｃ内包されたプログラミングによって、照明部ＩＡの輝度・色度が制御情報に応じて変更される。なお、操作画面が実写画像のリアルタイム表示にオーバーラップして表示されているため、照明部ＩＡによって照明された被写体の状況をリアルタイムで確認可能となっている。
【００４０】
スイッチモード変更表示１ｄ５は、レンズ装置２に設けられた操作スイッチ２ｇで操作可能となる照明部ＩＡの制御を選択する表示である。即ち、操作スイッチ２ｇの操作に基づく照明部ＩＡの制御に関する情報である。例えば、操作スイッチ２ｇの操作により照明部ＩＡの輝度の変更を行うか、左右の照明部ＩＡの色度を変更するかを選択可能な選択表示である。
【００４１】
ここで、スイッチモード変更表示１ｄ５によって選択可能なスイッチモードについて、図８および図９を用いて説明する。図８は、第１のスイッチモードにおける操作スイッチ２ｇによる照明部ＩＡの制御の一例を示すフロー図である。第１のスイッチモードでは、操作スイッチ２ｇで、照明部ＩＡの輝度変更を行う。
【００４２】
ディスプレイ１ｄには、図７に示す操作画面が表示される。操作画面には、色度調整エリア１ｄ３と輝度調整エリア１ｄ４とスイッチモード変更表示１ｄ５が表示される。ディスプレイ１ｄのスイッチモード変更表示１ｄ５のうち第１のスイッチモードを選択し、スイッチモードを変更する。すると、ユーザにより設定されたスイッチモードに関する情報がカメラ本体１側の通信端子１ｌからレンズ装置２側の通信端子２ｌに制御情報が通信される。レンズ装置２側に通信された制御情報は、レンズ装置２内のレンズ記憶部２ｅに記憶される。これにより、操作スイッチ２ｇによって、照明部ＩＡの輝度変更を行うことが可能となる。
【００４３】
まず、照明部ＩＡのオフ状態（Ｓ３０）から操作スイッチ２ｇを押す（Ｓ３１）と、両側の照明部ＩＡが点灯する（Ｓ３２、Ｓ３３）。このとき、操作スイッチ２ｇを所定時間より長く押しても、所定時間より短く押しても照明部ＩＡは点灯する。Ｓ３２またはＳ３３の状態（両側の照明部ＩＡが点灯した状態）から操作スイッチ２ｇを所定時間より短く押す（Ｓ３４，Ｎｏ、Ｓ３５，Ｎｏ）と、照明部ＩＡはオフ状態となる（Ｓ３０）。
【００４４】
Ｓ３２またはＳ３３の状態から操作スイッチ２ｇを所定時間より長く押す（Ｓ３４，Ｙｅｓ、Ｓ３５，Ｙｅｓ）と、照明部ＩＡの輝度が上がる（Ｓ３６）。そのまま操作スイッチ２ｇを押し続ける（Ｓ３７，Ｙｅｓ）と、操作スイッチ２ｇが離されるまで照明部ＩＡ輝度が上がり、操作スイッチ２ｇが離されたとき（Ｓ３７，Ｎｏ）は、その輝度を保った状態で照明部ＩＡが点灯する（Ｓ４４）。輝度が上がり続けている状態（Ｓ３６）から、操作スイッチ２ｇをさらにそのまま押し続け（Ｓ３７，Ｙｅｓ）、照明部ＩＡの輝度が最大となる（Ｓ３８，Ｙｅｓ）と、照明部ＩＡは最大輝度を保った状態で点灯し続ける（Ｓ３９）。
【００４５】
Ｓ３９の状態（輝度が最大の状態）で、再度操作スイッチ２ｇを長押しする（Ｓ４１，Ｙｅｓ）と、照明部ＩＡの輝度は下がる（Ｓ４２）。そのまま操作スイッチ２ｇ押し続ける（Ｓ４３，Ｙｅｓ）と、操作スイッチ２ｇが離されるまで照明部ＩＡ輝度が下がり、操作スイッチ２ｇが離されたとき（Ｓ４３，Ｎｏ）は、その輝度を保った状態で照明部ＩＡが点灯する（Ｓ４７）。輝度が下がり続けている状態（Ｓ４２）から、操作スイッチ２ｇをさらにそのまま押し続け（Ｓ４３，Ｙｅｓ）、照明部ＩＡの輝度が最小となる（Ｓ４６，Ｙｅｓ）と、照明部ＩＡは最小輝度を保った状態で点灯し続ける（Ｓ４９）。Ｓ４９の状態（輝度が最小の状態）で、再度操作スイッチ２ｇを長押しする（Ｓ３５，Ｙｅｓ）と、照明部ＩＡの輝度は再度上がる（Ｓ３６）。
【００４６】
なお、本フローは、一例であってこれに限られるものではない。本実施形態においては、輝度が最大または最小となった場合、一度操作スイッチ２ｇから指が離され、再度操作スイッチ２ｇが押されるまで、最大または最小の輝度を保った状態で点灯し続ける構成としている。しかし、例えば、最大または最小の輝度となってからも操作スイッチ２ｇが押され続けた場合、そのままさらに輝度を変更し続ける構成としても良い。
【００４７】
図９は、第２のスイッチモードにおける操作スイッチ２ｇによる照明部ＩＡの制御の一例を示すフロー図である。第２のスイッチモードでは、操作スイッチ２ｇで、左右の照明部ＩＡの色度変更を行う。ここでは、一例としてカメラ本体１の操作ボタン１ｈを押し、照明部ＩＡの色を変更する操作画面を表示し、右側の照明部ＩＡの色度変更を行う場合を説明する。
【００４８】
ディスプレイ１ｄには、図７に示す操作画面が表示される。操作画面には、色度調整エリア１ｄ３と輝度調整エリア１ｄ４とスイッチモード変更表示１ｄ５が表示される。ディスプレイ１ｄのスイッチモード変更表示１ｄ５のうち第２のスイッチモードを選択し、スイッチモードを変更する。これにより、操作スイッチ２ｇによって、照明部ＩＡの色変更を行うことが可能となる。
【００４９】
図９に戻り、まず、照明部ＩＡのオフ状態（Ｓ５０）からレンズ装置２の操作スイッチ２ｇを押す（Ｓ５１，Ｙｅｓ）ことで、右側の照明部ＩＡが点灯する（Ｓ５２）。なお、操作スイッチ２ｇが押されない場合（Ｓ５１，Ｎｏ）は、照明部ＩＡは点灯しない。次に、カメラ本体１のディスプレイ１ｄに表示されている色度調整エリア１ｄ３と輝度調整エリア１ｄ４を用いて、右側の照明部ＩＡの色度と輝度の設定に関する制御情報を入力する（Ｓ５３）。この操作によって入力された制御情報は、リアルタイムでカメラ本体１からレンズ装置２へ通信される（Ｓ５４）。通信された制御情報は、レンズ装置２内のレンズ記憶部２ｅに記憶される。レンズＣＰＵ２ｂは、通信された制御情報に基づき演算を行い、右側の照明部ＩＡの輝度・色度を変更する（Ｓ５５）。
【００５０】
次に、レンズ装置２の操作スイッチ２ｇを押下する（Ｓ５６，Ｙｅｓ）ことで、右側の照明部ＩＡが消灯し、左側の照明部ＩＡが点灯する（Ｓ５７）。ここで、カメラ本体１のディスプレイ１ｄに表示されている色度調整エリア１ｄ３と輝度調整エリア１ｄ４を用いて、左側の照明部ＩＡの色度と輝度の設定に関する制御情報を入力する（Ｓ５８）。操作によって入力された制御情報は、リアルタイムでカメラ本体１からレンズ装置２へ通信される（Ｓ５９）。通信された制御情報は、レンズ装置２内のレンズ記憶部２ｅに記憶される。レンズＣＰＵ２ｂは、通信された制御情報に基づき演算を行い、左側の照明部ＩＡの輝度・色度を変更する（Ｓ６０）。
【００５１】
その後、レンズ装置２の操作スイッチ２ｇを所定時間より長い時間押下する（Ｓ６１，Ｙｅｓ）ことで、両側の照明部ＩＡが所望の輝度・色度で点灯する（Ｓ６２）。これにより、複数の照明部ＩＡを異なる輝度・色度で点灯させることができ、豊富な撮影状況を作り出すことが可能となる。なお、本実施形態において、レンズ装置２に設けられた照明部ＩＡの照射距離は、レンズ装置２の前面より２０ｃｍより至近にて露出が合うような輝度となっている。
（第３実施形態）
【００５２】
図１０は、第３実施形態に係るレンズ装置を含むカメラシステム１００の構成を示すブロック図である。なお、第１実施形態と同様の構成は同符号で示し、説明は省略する。本実施形態に係るレンズ装置２は、通信部としての通信モジュール２ｍを備え、レンズ装置２は携帯端末との通信が可能である。
【００５３】
通信モジュール２ｍは、近接通信機能用の素子であって、回路が構成されている。近接通信機能は、Ｂｌｕｅｔｏｏｔｈ（登録商標）、赤外線通信、Ｗｉ−Ｆｉなどの双方向無線通信機能である。携帯端末は、レンズを操作する手段の一つで、例えば、レンズ専用の携帯端末、スマートフォンなどの端末、タブレット端末、Ｂｌｕｅｔｏｏｔｈ・赤外線通信機能を搭載したラップトップ型（ノート型）のパーソナルコンピューターなどの電子機器である。携帯端末は、ディスプレイを備える表示装置である。また、携帯端末は制御部として、例えばＣＰＵなどを備える。携帯端末に備えられたＣＰＵなどは、通信モジュール２ｍに制御情報を出力する。
【００５４】
例えば、Ｂｌｕｅｔｏｏｔｈを有した携帯端末との接続は、携帯端末とレンズ装置２の接続先特定を行いレンズ装置２と携帯端末をペアリングする。携帯端末には、レンズを制御するプログラムがインストールされていて、レンズ装置２とペアリングが行われると、携帯端末からレンズ装置２をコントロールすることが可能となる。
【００５５】
図１１は、携帯端末３のディスプレイ３ａに表示される操作画面の一例を示す図である。携帯端末３にインストールされたレンズ操作プログラムＰＧ１が起動されると、携帯端末３のディスプレイ３ａに操作画面が表示される。レンズＣＰＵ２ｂは、携帯端末３に入力された制御情報に応じて、左右の照明部ＩＡの点灯状態の変更などを行う。なお、レンズ操作プログラムＰＧ１による操作は、第１実施形態における第１の操作モードに相当する。
【００５６】
例えば、図１１の操作画面において、ディスプレイ３ａのタッチ位置３ａ１は、両側点灯の強モード、タッチ位置３ａ２は、両側点灯の弱モードに設定されている。携帯端末３のディスプレイ３ａには、レンズ装置２を模した画像が表示され、表示画像のうち、レンズ前面の照明部ＩＡに相当する場所（３ａ３）の表示を変更し、点灯が強モードのときは、明るく、弱モードのときは暗く、左右別点灯時には実際の点灯状況と同じように表示する。これにより、照明部ＩＡの点灯状況が視覚的に把握しやすくなる。
【００５７】
ディスプレイ３ａは、タッチパネルで構成され、画面の所定位置をタッチすることで、モードの変更など所定の動作を行う構造となっている。即ち、ディスプレイ１ｄは、制御情報を入力する入力部でもある。即ち、ディスプレイ１ｄは、制御情報を入力する入力部でもある。即ち、ディスプレイ３ａは、制御情報を入力する入力部でもある。タッチパネルは、静電容量式や感圧式のセンサが、液晶パネル全面に構成され、指やペンなどの接触により、接触位置を検出する。よって、ユーザが、指やペンなどで、タッチ位置３ａ１またはタッチ位置３ａ２などに触れることで、照明部ＩＡの制御情報を入力することができる。
【００５８】
なお、このとき、カメラ本体１からも照明部ＩＡを操作することが可能であるが、携帯端末３による制御を優先させるため、排他処理を行う。図１２は、排他処理を説明するフロー図である。所定のプログラムが起動すると（Ｓ６０１）、レンズ装置２の通信モジュール２ｍは、携帯端末３と通信を行い（Ｓ６０２）、プログラムの操作モードを確認する（Ｓ６０３）。携帯端末３は、レンズ装置２のレンズＣＰＵ２ｂを介して、カメラＣＰＵ１ｃに携帯端末３とレンズ装置２が通信を開始した信号を送信する（Ｓ６０４）。カメラＣＰＵ１ｃは、レンズ装置２が外部より制御されたことを認識し、例えば、ディスプレイ１ｄにおいて、制御情報の入力を抑制するなど、排他処理を行う（Ｓ６０５）。
【００５９】
なお、レンズＣＰＵ２ｂは、携帯端末３との通信を開始した後に、カメラ本体１からの制御情報を受信した場合に、携帯端末３から受信した制御情報のみによって、照明部ＩＡを制御するようにしても良い。
【００６０】
カメラ本体１が誤操作された場合などに、照明部ＩＡが非所望の照明状態となることを防止することができる。なお、本実施形態においては、携帯端末３による制御を優先させる構成としたが、カメラ本体１からの制御を優先させる構成としてもよいし、先に通信された制御情報を優先させる構成としても良い。
【００６１】
図１３は、携帯端末３による照明部ＩＡの制御方法を示すフロー図である。まず、携帯端末３にて、ユーザにより制御情報が入力される（Ｓ７０１）。次に、携帯端末３からレンズ装置２の通信モジュール２ｍに制御情報が通信される（Ｓ７０２）。レンズ装置２側に通信された制御情報は、レンズ装置２内のレンズ記憶部２ｅに記憶される（Ｓ７０３）。通信された制御情報に基づきレンズＣＰＵ２ｂにて光量などが演算され（Ｓ７０４）、照明部ＩＡの輝度などが変更される（Ｓ７０５）。
【００６２】
本実施形態によれば、例えば、ディスプレイを備えないカメラ本体にレンズ装置が装着された場合であっても、スマートフォン等の携帯端末を用いてレンズ装置の照明部ＩＡを制御することが可能となる。
（第４実施形態）
【００６３】
図１４は、第４実施形態に係る携帯端末３のディスプレイ３ａに表示される操作画面の一例を示す図である。本実施形態に係るプログラムＰＧ２では、操作画面に、２つのスライダー３ａ４が表示されている。スライダー３ａ４を動かすことにより、左右の照明部ＩＡの点灯強度をそれぞれ無段階調節できる。操作画面には、レンズを模した表示が構成され、スライダーで選択した輝度と合わせてレンズ前面の照明部ＩＡに相当する場所（３ａ３）の表示が変更される。これにより、視覚的に照明部ＩＡの点灯状況を表示する。なお、レンズ操作プログラムＰＧ２による操作は、第１実施形態における第２の操作モードに相当する。
【００６４】
本実施形態においても、第３実施形態と同様に排他処理が行われる。排他処理の方法については、図１２に示すフローと同様である。また、制御方法についても、第３実施形態の図１３に示すフローと同様である。携帯端末３にインストールされたレンズ操作プログラムＰＧ２が起動されると、携帯端末のディスプレイ３ａに、図１４に示す操作画面が表示される。ユーザがスライダー３ａ４を動かすことにより、照明部ＩＡの制御情報が入力され（Ｓ７０１）、携帯端末３からレンズ装置２の通信モジュール２ｍに制御情報が通信される（Ｓ７０２）。レンズ装置２側に通信された制御情報は、レンズ装置２内のレンズ記憶部２ｅに記憶される（Ｓ７０３）。通信された制御情報に基づきレンズＣＰＵ２ｂにて光量などが演算され（Ｓ７０４）、照明部ＩＡの輝度などが変更される（Ｓ７０５）。
【００６５】
このとき、レンズ装置２の操作スイッチ２ｇは、照明部ＩＡのオン／オフの操作を行う設定となっている。また、点灯モード変更表示位置３ａ５を指やペンでタッチした場合に、照明部ＩＡのオン／オフの操作を行う設定としてもよい。
【００６６】
本実施形態によれば、例えば、ディスプレイを備えないカメラ本体にレンズ装置が装着された場合であっても、スマートフォン等の携帯端末を用いて照明部ＩＡの輝度を無段階で調節することが可能となり、豊富な撮影状況を作り出すことが可能となる。
（第５実施形態）
【００６７】
図１５は、第５実施形態に係る携帯端末３のディスプレイ３ａに表示される操作画面の一例を示す図である。本実施形態に係るプログラムＰＧ３では、操作画面に、色度調整エリア３ａ６と輝度調整エリア３ａ７とスイッチモード変更表示３ａ８が表示される。色度調整エリア３ａ６は、ＲＧＢの三原色の割合で生成された色が表示され、任意の点を選択することで照明部ＩＡの点灯色を変更させる。輝度調整エリア３ａ７は、色度調整エリア３ａ６で選択された色の輝度を任意に変更させる。第２実施形態に係る操作モードに相当する。
【００６８】
スイッチモード変更表示３ａ８は、レンズ装置２に設けられた操作スイッチ２ｇで操作可能となる照明部ＩＡの制御を選択する表示である。例えば、操作スイッチ２ｇの操作により照明部ＩＡの輝度の変更を行うか、左右の照明部ＩＡの色度を変更するかを選択可能な選択表示である。
【００６９】
ここで、スイッチモード変更表示３ａ８によって選択可能なスイッチモードについて、説明する。第１のスイッチモードでは、操作スイッチ２ｇで、照明部ＩＡの輝度変更を行う。これは、第２実施形態の第１のスイッチモードと同様であるため、省略する。
【００７０】
図１６は、第５実施形態に係る第２のスイッチモードにおける操作スイッチ２ｇによる照明部ＩＡの制御の一例を示すフロー図である。本実施形態における第２のスイッチモードは、第２実施形態の第２のスイッチモードに相当するため、第２実施形態に係る第２のスイッチモードと異なる部分のみ説明する。なお、ここでも、第２実施形態と同様、一例として、右側の照明部ＩＡの色度変更を行う場合を説明する。
【００７１】
プログラムＰＧ３を起動させることにより、ディスプレイ３ａには、図１５に示す操作画面が表示される。操作画面には、色度調整エリア３ａ６と輝度調整エリア３ａ７とスイッチモード変更表示３ａ８が表示される。ディスプレイ３ａのスイッチモード変更表示３ａ８のうち第２のスイッチモードを選択し、スイッチモードを変更する。これにより、操作スイッチ２ｇによって、照明部ＩＡの色変更を行うことが可能となる。
【００７２】
本実施形態では、制御情報の入力は、携帯端末３のディスプレイ３ａを用いて行う。よって、Ｓ１５３においては、携帯端末３のディスプレイ３ａに表示されている色度調整エリア３ａ６と輝度調整エリア３ａ７を用いて、右側の照明部ＩＡの色度と輝度の設定に関する制御情報を入力する。また、Ｓ１５８においても、携帯端末３のディスプレイ３ａに表示されている色度調整エリア３ａ６と輝度調整エリア３ａ７を用いて、左側の照明部ＩＡの色度と輝度の設定に関する制御情報を入力する。操作によって入力された制御情報は、リアルタイムで携帯端末３からレンズ装置２へ通信される
【００７３】
本実施形態によれば、例えば、ディスプレイを備えないカメラ本体にレンズ装置が装着された場合であっても、スマートフォン等の携帯端末を用いて複数の照明部ＩＡを異なる輝度・色度で点灯させることができ、豊富な撮影状況を作り出すことが可能となる。
（その他の実施形態）
【００７４】
以上、本発明の実施の形態を説明してきたが、本発明はこれらの実施の形態に限定されず、その要旨の範囲内において様々な変更が可能である。
【符号の説明】
【００７５】
１      カメラ本体
１ｃ    カメラＣＰＵ
１ｌ    通信端子
２      レンズ装置
２ｂ    レンズＣＰＵ
２ｌ    通信端子
２ｍ    通信モジュール
ＩＡ    照明部
３      携帯端末
１００  カメラシステム
【図１】
2019144513.tif 000003
【図２】
2019144513.tif 000004
【図３】
2019144513.tif 000005
【図４】
2019144513.tif 000006
【図５】
2019144513.tif 000007
【図６】
2019144513.tif 000008
【図７】
2019144513.tif 000009
【図８】
2019144513.tif 000010
【図９】
2019144513.tif 000011
【図１０】
2019144513.tif 000012
【図１１】
2019144513.tif 000013
【図１２】
2019144513.tif 000014
【図１３】
2019144513.tif 000015
【図１４】
2019144513.tif 000016
【図１５】
2019144513.tif 000017
【図１６】
2019144513.tif 000018